(57)【特許請求の範囲】
【請求項１】
カバーにより開閉されるハウジングの開口部から着脱自在に導入されるロール状に巻回された用紙を収納する用紙収納部と、
前記収納された用紙を引き出して案内経路に沿って搬送する搬送機構と、
前記案内経路上に配置されて前記搬送される用紙に印刷を行う印刷部と、
前記収納された用紙の搬送方向に直交する用紙幅方向にスライド自在に前記用紙収納部に設けられ、前記収納された用紙の端面に当接するガイドフェンスと、
前記ガイドフェンスのスライド移動軌跡に沿って前記用紙収納部に配置される被ストッパ部と、
前記ガイドフェンスにおいて前記収納された用紙の端面に当接する側とは反対側にそのスライド移動方向と同一方向の軸心を中心として回動自在に取り付けられるとともに、回動することによって前記被ストッパ部に対して前記ガイドフェンスのスライド移動を規制する結合状態となるスライド規制位置と当該結合状態を解除するフリー位置との間に変位するストッパ部と、前記ストッパ部を回動操作するための操作部とを有するレバーと、
を備え、
前記ガイドフェンスの外縁には、前記操作部の回動軌跡に沿って切り欠け部が形成され、
前記操作部は、前記ストッパ部がフリー位置にある状態で、前記ガイドフェンスよりも上方に突出し、前記ストッパ部が前記スライド規制位置にある状態で、前記ガイドフェンス外縁の前記切り欠け部に位置し、
前記レバーは、弾性を有し、前記ガイドフェンスが前記用紙収納部の内側面に近接した状態で前記ガイドフェンスよりも上方に突出した前記操作部を前記内側面側に押圧すると、前記レバーの前記操作部及び前記軸心の間の領域が前記内側面に当接するプリンタ。
【請求項２】
前記ストッパ部は、前記レバーの回動によって前記被ストッパ部にスライド嵌合する、
請求項１に記載のプリンタ。
【請求項３】
前記操作部は、前記ストッパ部が前記スライド規制位置に位置付けられている状態では
前記カバーの開閉を許容する位置に位置付けられ、前記ストッパ部が前記フリー位置に位
置付けられている状態では前記カバーの閉止を阻止する位置に位置付けられる、請求項１
又は２に記載のプリンタ。
【発明の詳細な説明】
【技術分野】
【０００１】
本発明は、内部に様々な用紙幅の用紙を予め収納でき、この収納された用紙に印刷を行うことができるプリンタに関する。
【背景技術】
【０００２】
内部に様々な用紙幅の用紙を予め収納でき、この収納された用紙に印刷を行うことができるプリンタが普及している（例えば、特許文献１）。このようなプリンタのハウジングの内部に形成されている用紙収納部には、ガイドフェンス（特許文献１中の「ガイド板」に相当）が設けられている。ガイドフェンスは、印刷前の用紙の側辺に当接して用紙の斜行を防止している。このようなガイドフェンスには、用紙幅方向にスライドして用紙収納部の幅をより細かく調節できるようになっているものがある（特許文献２の図２ないし図７）。
【０００３】
ガイドフェンスは、スライド自在のままでは搬送される用紙に付勢されてスライドしてしまい、用紙の斜行を防止できなくなってしまう。そこで、ガイドフェンスのスライドを規制することができるロック機構がプリンタに設けられることがある。
【０００４】
【特許文献１】特開平１０−１８１１３０号公報
【特許文献２】特開２００４−２０９７２８公報
【発明の開示】
【発明が解決しようとする課題】
【０００５】
ロック機構は、一例として、用紙収納部の底面のガイドフェンスの取付箇所（特許文献１の図２及び図４）の近傍で用紙収納部及びガイドフェンスの位置関係を固定することでガイドフェンスのスライドを規制する。このような構造のロック機構は、用紙収納部の底面近傍に配置されることが多い。この場合、プリンタの使用者は、ロック機構を操作するために、用紙収納部に収納されている用紙を一旦取り出す必要がある。また、プリンタの使用者は、用紙を取り出した後も、指を用紙収納部の内部に指し込んでロック機構を探し当てた上でロック機構を操作しなければならない。なお、特許文献２には、ガイドフェンス（特許文献２中の「用紙ガイド」に相当）のスライドの規制に関する特段の記述も見られない。
【０００６】
本発明の目的は、用紙の斜行を防ぐガイドフェンスのスライドの規制及びその解除の操作を簡易にすることである。
【課題を解決するための手段】
【０００７】
本発明のプリンタは、カバーにより開閉されるハウジングの開口部から着脱自在に導入されるロール状に巻回された用紙を収納する用紙収納部と、前記収納された用紙を引き出して案内経路に沿って搬送する搬送機構と、前記案内経路上に配置されて前記搬送される用紙に印刷を行う印刷部と、前記収納された用紙の搬送方向に直交する用紙幅方向にスライド自在に前記用紙収納部に設けられ、前記収納された用紙の端面に当接するガイドフェンスと、前記ガイドフェンスのスライド移動軌跡に沿って前記用紙収納部に配置される被ストッパ部と、前記ガイドフェンスにおいて前記収納された用紙の端面に当接する側とは反対側にそのスライド移動方向と同一方向の軸心を中心として回動自在に取り付けられるとともに、回動することによって前記被ストッパ部に対して前記ガイドフェンスのスライド移動を規制する結合状態となるスライド規制位置と当該結合状態を解除するフリー位置との間に変位するストッパ部と、前記ストッパ部を回動操作するための操作部とを有するレバーと、を備え、前記ガイドフェンスの外縁には、前記操作部の回動軌跡に沿って切り欠け部が形成され、前記操作部は、前記ストッパ部がフリー位置にある状態で、前記ガイドフェンスよりも上方に突出し、前記ストッパ部が前記スライド規制位置にある状態で、前記ガイドフェンス外縁の前記切り欠け部に位置し、前記レバーは、弾性を有し、前記ガイドフェンスが前記用紙収納部の内側面に近接した状態で前記ガイドフェンスよりも上方に突出した前記操作部を前記内側面側に押圧すると、前記レバーの前記操作部及び前記軸心の間の領域が前記内側面に当接する。
【発明の効果】
【０００８】
本発明によれば、ガイドフェンスに回動自在に取り付けられているレバーの操作部を操作してレバーを回動させると、レバーのストッパ部が被ストッパ部に結合してガイドフェンスのスライド移動を規制するため、用紙の斜行を防ぐガイドフェンスのスライドの規制及びその解除の操作を簡易にすることができる。
【発明を実施するための最良の形態】
【０００９】
本発明の実施の一形態を図１ないし図１０に基づいて説明する。本実施の形態では、感熱紙が巻回されて形成された用紙ロールを内部に収納し、ラインサーマルヘッドによる印刷を行う感熱式の携帯プリンタについて紹介する。
【００１０】
図１は、カバー１０７が閉じられた状態のプリンタ１０１の外観斜視図である。プリンタ１０１は、正面側から見て横長の直方体形状の外観を有する。プリンタ１０１の各部は、ハウジング１０２に収納されている。ハウジング１０２は、用紙ロールＰＲを収納することができる内部構造を有しており、用紙ロールＰＲを内部に導入できるように上面に開口部１０６（図２及び図３参照）が開口されている。開口部１０６は、ハウジング１０２に取り付けられているカバー１０７によって開閉される。カバー１０７は、詳細は図２に基づいて後述するが、開口部１０６の一辺をなすハウジング１０２の奥側辺１０８（図２及び図３参照）に回動自在に取り付けられている。カバー１０７が閉じられた状態では、カバー１０７の先端をなす外側辺１１０及び開口部１０６の一辺をなすハウジング１０２の手前側辺１０９の間に、プリンタ１０１の幅方向に細長い隙間が形成される。この隙間からは、用紙ロールＰＲから引き出されて印刷が行われた用紙ＰＴが排出される。すなわち、この隙間は、用紙排出口１１１として機能する。ここで、用紙排出口１１１から排出される用紙ＰＴをカットできるように、用紙排出口１１１を構成するハウジング１０２の手前側辺１０９やカバー１０７の外側辺１１０は、鋭利な形状に形成されていてもよい。なお、ハウジング１０２の右側面には、接続コネクタ部１０３及びバッテリ収納部１０４が配置されている。
【００１１】
図２は、カバー１０７が開かれた状態のプリンタ１０１の外観斜視図である。図３は、カバー１０７が開かれ、用紙ロールＰＲが収納された状態のプリンタ１０１の外観斜視図である。ハウジング１０２の内部には、用紙ロールＰＲを着脱自在に収納可能な用紙収納部１０５が形成されている。用紙ロールＰＲは、ロール軸をプリンタ１０１の幅方向に向けた状態で用紙収納部１０５に収納され、プラテンローラ１１７（後述）によって引き出されて用紙排出口１１１（図１参照）に向けて搬送される。このとき、用紙収納部１０５に収納される用紙ロールＰＲは、斜行防止機構１１３によって用紙搬送時の斜行が防止される。斜行防止機構１１３の詳細については、図５ないし図８に基づいて後述する。用紙収納部１０５よりもプリンタ１０１の手前側上方には、レバー１２２が配置されている。レバー１２２は、発熱素子列１１４を用紙幅方向（プリンタ１０１の幅方向）と一致させる向きに、ハウジング１０２の左内側面１２４Ｌ及び右内側面１２４Ｒに着脱自在に取り付けられる。ラインサーマルヘッド１１２は、制御部（図示せず）の制御に応じて発熱素子列１１４が発熱することで、用紙ＰＴに対して印加を行う。ラインサーマルヘッド１１２に対しプリンタ１０１の手前側下方には、ヘッドブラケット１１５が隣接している。ヘッドブラケット１１５は、ハウジング１０２に固定され、ラインサーマルヘッド１１２をプリンタ１０１の奥側上方に付勢する。また、ラインサーマルヘッド１１２のプリンタ１０１の奥側には、ヘッドカバー１１６が隣接配置される。ヘッドカバー１１６は、ハウジング１０２に必要に応じて装着され、ラインサーマルヘッド１１２を付勢してラインサーマルヘッド１１２の振動を防止する。また、ハウジング１０２の内部であってプリンタ１０１の正面側から見てラインサーマルヘッド１１２の左側には、駆動ギア１１９が配置されている。駆動ギア１１９は、制御部によって駆動するモータ（図示せず）を駆動源として回動する。この駆動ギア１１９は、カバー１０７が閉じられると、カバー１０７に取り付けられている従動ギア１１９ａ（後述）と噛み合って従動ギア１１９ａに接続するプラテンローラ１１７（後述）を回動させる。
【００１２】
用紙収納部１０５側に向けられたカバー１０７の一方の面で外側辺１１０の近傍には、搬送機構としてのプラテンローラ１１７及び用紙抑えローラ１１８が配置されている。プラテンローラ１１７及び用紙抑えローラ１１８はいずれも、プリンタ１０１の幅方向に回転軸を向けて回動自在となっている。プラテンローラ１１７は、カバー１０７が閉じられた状態でラインサーマルヘッド１１２の発熱素子列１１４と接する位置に位置決めされるようにカバー１０７に配置されている。プリンタ１０１の正面側から見てプラテンローラ１１７の左側には、プラテンローラ１１７と一体に回動する従動ギア１１９ａが接続されている。従動ギア１１９ａは、カバー１０７が閉じられた状態になると駆動ギア１１９と噛み合い、駆動ギア１１９の回動に伴って回動する。用紙抑えローラ１１８は、カバー１０７が閉じられた状態でヘッドカバー１１６と接する位置に位置決めされるようにカバー１０７に接続されている。
【００１３】
このように構成されたプリンタ１０１において、用紙収納部１０５に用紙ロールＰＲを収納して用紙ＰＴを引き出しカバー１０７を閉じると、引き出された用紙ＰＴはラインサーマルヘッド１１２及びプラテンローラ１１７の間に挟まれ、かつ、ヘッドカバー１１６及び用紙抑えローラ１１８の間に挟まれる。ラインサーマルヘッド１１２、プラテンローラ１１７、ヘッドカバー１１６、用紙抑えローラ１１８は、カバー１０７が閉じられた状態では、用紙ＰＴを用紙排出口１１１まで案内する案内経路Ｗを形成している。この状態で制御部（図示せず）の制御によって図２における反時計回りに駆動ギア１１９が回動すると、用紙ＰＴは、案内経路Ｗに沿って案内され、用紙ロールＰＲからラインサーマルヘッド１１２を経由して用紙排出口１１１に向かう方向に搬送される。また、印刷部としてのラインサーマルヘッド１１２は、案内経路Ｗの途中に配置されており、制御部（図示せず）の制御に応じて発熱素子列１１４が発熱することによって、搬送される用紙ＰＴに対し所定の内容を印刷する。
【００１４】
図４は、斜行防止機構１１３を上方から見た斜視図である。図５は、ガイドフェンス１２１のスライドが規制された状態の斜行防止機構１１３を下方から見た斜視図である。図６は、斜行防止機構１１３の一部の分解斜視図である。斜行防止機構１１３は、プラテンローラ１１７による用紙ＰＴの搬送方向に直交する用紙幅方向の移動を規制して搬送途中の用紙ＰＴの斜行を防止する機能を備える。この斜行防止機構１１３は、プリンタ１０１の用紙収納部１０５に配設されて、ハウジング１０２に対して固定されている。図４ないし図６は、用紙収納部１０５から取り出された状態の斜行防止機構１１３を示している。
【００１５】
斜行防止機構１１３は、レール部材１２０にスライド自在に取り付けられて向かい合っている二枚のガイドフェンス１２１を基本構成とする。そして、この二枚のガイドフェンス１２１が用紙ロールＰＲの両端面を挟み込むことによって用紙ＰＴの用紙幅方向の移動を規制する。この斜行防止機構１１３は、レール部材１２０と、ガイドフェンス１２１と、レバー１２２と、ラックアンドピニオン機構１２３とによって構成されている。レバー１２２は、このガイドフェンス１２１の外側、すなわち、収納された用紙の端面に当接する側とは反対側に取り付けられる。
【００１６】
レール部材１２０は、プラスチックで形成される長尺部材である。このレール部材１２０は、ハウジング１０２内部の空間の幅と同じ長さを有し、側面から見ると長辺部分が凹んでいる鈍角三角形の形状となっている。この鈍角三角形の長辺に当たるレール部材１２０の一側面は、スライド移動する右ガイドフェンス１２１Ｒのスライド移動軌跡に沿う形状に、凹んで丸みを帯びている凹面１２０ａとなっている。凹面１２０ａにおいて、レバー１２２のストッパ部（後述）に干渉される被干渉領域Ｓには、被ストッパ部１３４が形成されている。レール部材１２０は、凹面１２０ａをプリンタ１０１の奥側上方に向け、長手方向をプリンタ１０１の幅方向に向けた状態で、用紙収納部１０５の底面でハウジング１０２に固定されている。
【００１７】
レール部材１２０には、プリンタ１０１の正面側から見て左右対称となる二箇所に、レール溝１２６が長手方向に切られている。二箇所のレール溝１２６のそれぞれには、ガイドフェンス１２１（１２１Ｌ、１２１Ｒ）が取り付けられている。ガイドフェンス１２１（１２１Ｌ、１２１Ｒ）は、レール溝１２６に沿ってスライド自在となっている。二つのレール溝１２６はいずれもレール部材１２０の短辺近傍まで切られているため、ガイドフェンス１２１（１２１Ｌ、１２１Ｒ）は、左内側面１２４Ｌ及び右内側面１２４Ｒ（図２参照）の近傍の端領域１２５に位置付けることが可能である。ガイドフェンス１２１（１２１Ｌ、１２１Ｒ）はいずれも、円板形状の平板部１２１ａを主体に形成されている。この平板部１２１ａは、上方に半月形状の切欠が形成されているほか、スライドする際にラインサーマルヘッド１１２やヘッドカバーに干渉しない形状に切り欠かれた形状となっている。さらに、右ガイドフェンス１２１Ｒの上方の外縁は、レバー１２２の操作部１３０（後述）の回動軌跡に沿って切り欠かれている。平板部１２１ａのうち互いに対向している一方の面は、用紙ロールＰＲの端面や引き出された用紙ＰＴの側辺に当接する当接面１２９であり、他方の面は左内側面１２４Ｌ及び右内側面１２４Ｒと対面する外側面１２１ｂとなっている。プリンタ１０１の正面側から見て右側の右ガイドフェンス１２１Ｒの外側面１２１ｂには、レバー１２２が回動自在に取り付けられている。レバー１２２は、プラスチックなどの弾性部材で形成される縦長の略矩形形状の平板形状の部材である。このレバー１２２及び右ガイドフェンス１２１Ｒは、右ガイドフェンス１２１Ｒのスライド移動方向と同一方向の軸心となる接続箇所１３１を中心として回動自在に接続している。この接続箇所１３１は、右ガイドフェンス１２１Ｒの円形の中心及び凹面１２０ａの間で右ガイドフェンス１２１Ｒの外側面１２１ｂに設けられている。また、ガイドフェンス１２１の平板部１２１ａの下端には、レール溝１２６に嵌合する形状の突部１２１ｂが突出している。突部１２１ｂがレール溝１２６に取り付けられた状態において、突部１２１ｂの下面には、ラックギア１２７が螺子止め接続される。このラックギア１２７は、図５に示すように、突部１２１ｂに螺子止めされた状態でレール部材１２０に沿ってプリンタ１０１の内側に延びており、ガイドフェンス１２１（１２１Ｌ、１２１Ｒ）のスライド移動とともに、レール部材１２０の長手方向にスライドする。二つのラックギア１２７は、レール部材１２０の中央下面に回動自在に接続されているピニオンギア１２８と噛み合わさっている。そのため、右ガイドフェンス１２１Ｒ及び左ガイドフェンス１２１Ｌのいずれか一方をレール溝１２６に沿ってスライドすることによって、他方のガイドフェンス１２１は対称にスライド移動する。つまり、ラックギア１２７及びピニオンギア１２８は、一対のガイドフェンス１２１（１２１Ｌ、１２１Ｒ）を左右対称にスライドさせるラックアンドピニオン機構１２３を構成する。
【００１８】
レバー１２２の一端には、レバー１２２が回動することによってレール部材１２０に進退するストッパ部１３３が形成されている。レバー１２２の他端は、プリンタ１０１の使用者がレバー１２２の回動操作を行うための操作部１３０となっている。操作部１３０は、プリンタ１０１の内側に向けて曲げられて、プリンタ１０１の使用者が把持しやすい形状となっている。この操作部１３０は、レバー１２２が右ガイドフェンス１２１Ｒの外側面１２１ｂに取り付けられた状態で、右ガイドフェンス１２１Ｒから上方に突出している。そして、レバー１２２が回動することによって、ストッパ部１３３は、被ストッパ部１３４に対してガイドフェンス１２１のスライド移動を規制する結合状態となるスライド規制位置ＬＬと、その結合状態を解除するフリー位置ＬＦとの間で変位する。
【００１９】
図７は、レバー１２２がガイドフェンス１２１のスライドを規制する仕組みを示す説明図である。レバー１２２に形成されているストッパ部１３３、及び、レール部材１２０の凹面１２０ａに形成されている被ストッパ部１３４の詳細について、図７（ａ）に基づいて説明する。レバー１２２の下方でプリンタ１０１の奥側を向いている方の角Ｐは、丸みを帯びた形状となっている。そして、この角Ｐからレバー１２２の下方でプリンタ１０１の手前側を向いている方の角Ｑにかけてのレバー１２２の側面は、接続箇所１３１によるレバー１２２の回動中心点Ｏから所定の距離ｒが保たれている。角Ｑからプリンタ１０１の手前側かつ上方に位置する角Ｒにかけてのレバー１２２の側面は、略直線状に切り欠かれている。レバー１２２の角Ｑの側面部分には、レバー１２２の回動によって角Ｑが移動する方向に一杯に複数の溝１３３ａが切られている。これらの複数の溝１３３ａによって、レバー１２２の角Ｑの側面には、用紙幅方向に山及び谷を繰り返す鋸歯形状のストッパ部１３３が形成されている。また、レール部材１２０の凹面１２０ａの被干渉領域Ｓには、ストッパ部１３３が進行する方向に複数の溝１３４ａが切られている。この溝１３４ａは、ストッパ部１３３に形成されている山とスライド嵌合する形状に切られている。これらの複数の溝１３４ａによって、レール部材１２０の凹面１２０ａの被干渉領域Ｓには、被ストッパ部１３４が形成されている。ストッパ部１３３及び被ストッパ部１３４は、レバー１２２が回動することでレール部材１２０の凹面１２０ａに進出して被ストッパ部１３４にスライド嵌合し、右ガイドフェンス１２１Ｒのスライドを規制する（図７（ｂ））。なお、側面にストッパ部１３３が形成されているレバー１２２の角Ｑは、図７（ａ）に示すように、ストッパ部１３３が被ストッパ部１３４に進行するにつれて被ストッパ部１３４に形成されている山に徐々に近づくように切り欠かれているため、ストッパ部１３３が被ストッパ部１３４の側面に突き当たることはなく、ストッパ部１３３及び被ストッパ部１３４は滑らかにスライド嵌合することができる。
【００２０】
このような構成を備えるレバー１２２について、プリンタ１０１の使用者が右ガイドフェンス１２１Ｒから上方に突出しているレバー１２２の操作部１３０をプリンタ１０１の奥側に倒す場合を、図７（ｃ）に基づいて考える。この場合、レバー１２２は回動してストッパ部１３３がプリンタ１０１の手前側上方に変位してスライド規制位置ＬＬに位置付けられ、ストッパ部１３３が被ストッパ部１３４にスライド嵌合する。なお、このときの操作部１３０の位置を、以下「ロック位置ＬＰ」と表記する。スライド嵌合した結果、プリンタ１０１の使用者がガイドフェンス１２１（１２１Ｌ、１２１Ｒ）やレバー１２２の操作部１３０を持ってガイドフェンス１２１を用紙幅方向にスライドしようとしても、ストッパ部１３３に形成された山が被ストッパ部１３４に形成された山に干渉する。つまり、ガイドフェンス１２１のスライドが規制される。
【００２１】
また、プリンタ１０１の使用者がプリンタ１０１の奥側に倒れた状態のレバー１２２の操作部１３０をプリンタ１０１の手前側上方に引き上げる場合を、図７（ｃ）に基づいて考える。この場合、レバー１２２は回動してストッパ部１３３がプリンタ１０１の奥側下方に変位してフリー位置ＬＦに位置付けられ、ストッパ部１３３及び被ストッパ部１３４のスライド嵌合が解除される。なお、このときの操作部１３０の位置を「アンロック位置ＵＰ」と表記する。スライド嵌合が解除された場合、ストッパ部１３３及び被ストッパ部１３４が互いに干渉しなくなる。そのため、プリンタ１０１の使用者は、ガイドフェンス１２１（１２１Ｌ、１２１Ｒ）やレバー１２２の操作部１３０を持ってガイドフェンス１２１をスライドすることができる。
【００２２】
ここで、操作部１３０が位置付けられるロック位置ＬＰは、ハウジングの左内側面１２４Ｌ及び右内側面１２４Ｒの上辺１２４ａよりも下方である。また、操作部１３０が位置付けられるアンロック位置ＵＰは、ハウジングの左内側面１２４Ｌ及び右内側面１２４Ｒの上辺１２４ａよりも上方である。つまり、レバー１２２の操作部１３０は、ガイドフェンス１２１のスライドの規制／解除を切り替える操作に伴って、左内側面１２４Ｌ及び右内側面１２４Ｒの上辺１２４ａの高さ位置を境に上下に出没する。そして、図７（ｃ）に示すように、アンロック位置ＵＰに位置づけられている操作部１３０は、カバー１０７による開口部１０６の閉止を阻止する。また、図７（ｃ）に示すように、操作部１３０がロック位置ＬＰに位置づけられている状態では、カバー１０７は操作部１３０に干渉されることなくハウジング１０２の開口部１０６を閉止することができる。
【００２３】
ここで、本実施の形態のプリンタ１０１において、ガイドフェンス１２１をハウジング１０２の内側面（左内側面１２４Ｌ及び右内側面１２４Ｒ）近傍までスライドさせることができることは、前述した通りである。ところが、ガイドフェンス１２１が内側面１２４Ｌ、１２４Ｒの近傍に位置付けられてしまうと、ガイドフェンス１２１及びハウジングの内側面１２４Ｌ、１２４Ｒの間の隙間がほとんどなくなってしまい、プリンタ１０１の使用者がレバー１２２の操作部１３０を持ちにくくなってしまう。この点、本実施の形態のプリンタ１０１は、ガイドフェンス１２１が内側面１２４Ｌ、１２４Ｒの近傍に位置付けられたとしても、容易な操作によって内側面１２４Ｌ、１２４Ｒ及びガイドフェンス１２１の間に隙間が形成され、プリンタ１０１の使用者にとってガイドフェンス１２１やレバー１２２を持ちやすくすることができる構造となっている。以下、レバー１２２、右ガイドフェンス１２１Ｒ、ハウジング１０２の右内側面１２４Ｒ及びこれらの周辺の構造を中心に、図８ないし図１０に基づいて説明する。
【００２４】
図８は、ハウジング１０２の右内側面１２４Ｒの外観斜視図である。図９は、ハウジング１０２の右内側面１２４Ｒ近傍の正面断面図である。プリンタ１０１のハウジング１０２の右内側面１２４Ｒの上辺１２４ａは、レバー１２２の接続箇所１３１よりも高く、アンロック位置ＵＰにあるレバーの操作部１３０よりも低くなる高さ位置に位置付けられている。この右内側面１２４Ｒの下側には、プリンタ１０１の内部に迫り出して段部１３５が形成されている。段部１３５の上端から下方に向けて没部１３６が形成されている没部１３６は、アンロック位置ＵＰに位置付けられたレバー１２２と平行に形成され、段部１３５からプリンタ１０１の外部に向かう方向に右内側面１２４Ｒまで達しない深さに没している。没部１３６の下辺１３６ａ及び上辺１３６ｂは、レバー１２２の接続箇所１３１よりも高い位置に形成されている。
【００２５】
図１０は、レバー１２２の操作によってガイドフェンス１２１の位置を微調整する仕組みを示す説明図である。前述したように、レバー１２２は弾性部材で形成されている。そのため、レバー１２２は、操作部１３０がハウジング１０２の右内側面１２４Ｒに押されると、図１０（ａ）に示すように、レバー１２２が右ガイドフェンス１２１Ｒから離反する方向に反った形状となる。反った形状となったレバー１２２において、レバー１２２の側面１２２ａのうち操作部１３０及び接続箇所１３１の間の領域は、ハウジング１０２の右内側面１２４Ｒの上辺１２４ａに接触する。この状態でさらに操作部１３０がプリンタ１０１の外側まで押されると、レバー１２２の復元力によって、ハウジング１０２の右内側面１２４Ｒの上辺１２４ａが支点となり、レバー１２２の下方であってレール部材１２０近傍の部分にはプリンタ１０１の内側に向かう力Ｆが作用する。ここで、プリンタ１０１の使用者がレバー１２２の操作部１３０から指を離すと、レバー１２２はプリンタ１０１の内側に向けて復元しようとする。このとき、操作部１３０はアンロック位置ＵＰに位置付けられているため、右ガイドフェンス１２１Ｒはレール部材１２０のレール溝１２６に沿ってプリンタ１０１の内側に向かう方向にスライドする。結果として、ハウジング１０２の右内側面１２４Ｒ及び右ガイドフェンス１２１Ｒの間には、プリンタ１０１の使用者の指が挿入できる程度の隙間が形成されることになる（図１０（ｂ））。
【００２６】
以上のように、本実施の形態のプリンタ１０１では、ガイドフェンス１２１の外側に回動自在に取り付けられているレバー１２２の操作部１３０を操作してレバー１２２を回動させると、レバー１２２のストッパ部１３３が被ストッパ部１３４に結合してガイドフェンス１２１のスライド移動を規制するため、用紙ＰＴを収納したままでも用紙ＰＴの斜行を防ぐガイドフェンス１２１のスライドの規制及びその解除を行うことができ、操作を簡易にすることができる。
【００２７】
また、本実施の形態のプリンタ１０１では、レバー１２２のストッパ部１３３及びレール部材１２０の被ストッパ部１３４のそれぞれに、レバー１２２のストッパ部１３３の移動する方向に沿って溝１３３ａ、溝１３４ａが切られており（図７（ａ）参照）、レバー１２２がガイドフェンス１２１に沿った方向に回動することによってストッパ部１３３及び被ストッパ部１３４が嵌合することができる。そして、ストッパ部１３３が被ストッパ部１３４に嵌合している状態では、溝１３３ａによって形成されたストッパ部１３３の山が被ストッパ部１３４の山に拘束されてガイドフェンス１２１のスライド移動が阻止されるため（図７（ｂ）参照）、簡易かつコンパクトな構造でありながら、レバー１２２及びレール部材１２０を磨耗させることなく強固にスライドを規制する構造が実現される。この場合、ストッパ部１３３に形成された山は摩擦することなくスムーズに被ストッパ部１３４の溝１３４ａに嵌合するため、摩擦による部材の磨耗が少なく、部品の破損のおそれが少なくなる。
【００２８】
さらに、本実施の形態のプリンタ１０１では、アンロック位置ＵＰに位置付けられたレバー１２２の操作部１３０は、開口１０６よりも上方に突出してカバー１０７を閉じようとしてもカバー１０７に当接すなわち干渉して開口部１０６の閉止を阻止するため、プリンタ１０１の使用者がガイドフェンス１２１のアンロック状態を認識しやすくなり、未然に印刷時の用紙の斜行を防止することができる。
【００２９】
加えて、本実施の形態のプリンタ１０１では、右ガイドフェンス１２１Ｒがハウジング１０２の右内側面１２４Ｒ近傍の端領域１２５に位置付けられたとしても、プリンタ１０１の使用者が操作部１３０をアンロック位置ＵＰに位置付けてレバー１２２の操作部１３０をハウジング１０２の上辺１２４ａに接触するまで押し出すことにより、右ガイドフェンス１２１Ｒがスライドしてプリンタ１０１の使用者の指が指し込める程度の隙間が形成されるため、プリンタ１０１を用いてハウジング１０２の内部空間一杯の幅を有する用紙の印刷を行った後でも容易な操作でガイドフェンス１２１のスライドを行うことができる。
【００３０】
なお、本実施の形態のガイドフェンス１２１は、ラックアンドピニオン機構１２３によって左右対称にスライドするものであってセンター基準仕様のプリンタ１０１に適用可能なものであるが、片側基準仕様のプリンタにも当然に適用できるものである。
【００３１】
また、別の実施の形態として、図１１に示すように、レバー１２２の回動中心となる接続箇所１３１が右ガイドフェンス１２１Ｒの上方に設けられていて、操作部１３０が接続箇所１３１とストッパ部１３３との間でハウジング１０２の右内側面１２４Ｒ側に突出形成されていてもよい。
【００３２】
また、さらに別の実施の形態として、図１２に示すように、ストッパ部１３３及び被ストッパ部１３４にゴム材料などで形成される摩擦力の高い摩擦材１３７を設けて、レバー１２２の回動によってストッパ部１３３及び被ストッパ部１３４の間に働く摩擦力によって右ガイドフェンス１２１Ｒのスライドを規制するようにしてもよい。
【図面の簡単な説明】
【００３３】
【図１】カバーが閉じられた状態のプリンタの外観斜視図である。
【図２】カバーが開かれた状態のプリンタの外観斜視図である。
【図３】カバーが開かれ、用紙ロールが収納された状態のプリンタの外観斜視図である。
【図４】レール部材、ガイドフェンス及びレバーを備える斜行防止機構を上方から見た斜視図である。
【図５】ガイドフェンスのスライドが規制された状態の斜行防止機構を下方から見た斜視図である。
【図６】斜行防止機構の一部の分解斜視図である。
【図７】レバーがガイドフェンスのスライドを規制する仕組みを示す説明図である。
【図８】ハウジングの右内側面の外観斜視図である。
【図９】ハウジングの右内側面近傍の正面断面図である。
【図１０】レバーの操作によってガイドフェンスの位置を微調整する仕組みを示す説明図である。
【図１１】カバーが開かれ、用紙ロールが収納された状態のプリンタの外観斜視図である。
【図１２】ストッパ部及び被ストッパ部の斜視図である。
【符号の説明】
【００３４】
１０１…プリンタ、１０２…ハウジング、１０５…用紙収納部、１０６…開口部、１０７…カバー、１１２…ラインサーマルヘッド（印刷部）、１１７…プラテンローラ（搬送機構）、１２１…ガイドフェンス、１２２…レバー、１２４Ｌ…左内側面、１２４Ｒ…右内側面、１３０…操作部、１３１…接続箇所（軸心）、１３３…ストッパ部、１３４…被ストッパ部、ＰＲ…用紙ロール、ＰＴ…用紙、Ｗ…案内経路
【図１】
0004997125.tif 000002
【図２】
0004997125.tif 000003
【図３】
0004997125.tif 000004
【図４】
0004997125.tif 000005
【図５】
0004997125.tif 000006
【図６】
0004997125.tif 000007
【図７】
0004997125.tif 000008
【図８】
0004997125.tif 000009
【図９】
0004997125.tif 000010
【図１０】
0004997125.tif 000011
【図１１】
0004997125.tif 000012
【図１２】
0004997125.tif 000013